(57)【要約】      （修正有）【課題】“清掃中”を表示するだけでなく清掃完了時刻も表示させる表示装置を提供する。【解決手段】本体部１１０の前面に配置された表示画面１１１と、表示装置が設置されている場所を特定するための位置信号を受信する位置信号受信部１３２、１３９と、本体部の内部に配置され、部屋ごとの清掃時間、及び部屋の位置情報を記憶する記憶部１３１とを備える。また、表示装置は、位置信号に基づいて記憶部に記憶された位置情報に対応する部屋を特定し、記憶部に記憶された特定された部屋の清掃時間に基づいて清掃開始時間から起算した残り時間もしくは清掃完了時刻を表示画面に表示させる制御部１３７を備える。【選択図】図３
2018192073.tif 000002
【特許請求の範囲】
【請求項１】
本体部の前面に配置された表示画面と、
前記表示装置が設置されている場所を特定するための位置信号を受信する位置信号受信部と、
前記本体部の内部に配置され、部屋ごとの清掃時間、及び前記部屋の位置情報を記憶する記憶部と、
前記本体部の内部に配置され、前記位置信号に基づいて前記記憶部に記憶された位置情報に対応する部屋を特定し、前記記憶部に記憶された前記特定された部屋の前記清掃時間に基づいて清掃開始時間から起算した残り時間もしくは清掃完了時刻を前記表示画面に表示させる制御部と、
を備える表示装置。
【請求項２】
前記位置信号受信部は、前記表示装置が設置されている場所を特定するＧＰＳ（Global Positioning System）信号を受信するＧＰＳ受信部、もしくは前記本体部の内部と外部との間で無線通信を行う通信部を使った測位部を含む、請求項１に記載の表示装置。
【請求項３】
前記表示装置は、前記本体部の内部から外部の伸び、前記制御部への給電に使用する電源コードを含み、
前記清掃開始時間は、前記電源コードがコンセントに差し込まれて給電が開始された時間である請求項１又は請求項２に記載の表示装置。
【請求項４】
前記表示装置は前記制御部への電力を蓄えるバッテリーを含み、
前記記憶部は、前記部屋の清掃とは関係ない映像情報を含み、
前記制御部は、前記電源コードが前記コンセントから抜かれた際に、前記バッテリーからの給電によって前記映像情報を前記表示画面に表示させる請求項３に記載の表示装置。
【請求項５】
前記表示装置は、前記本体部の外側表面に前記表示装置を起動するスイッチを有し、
前記スイッチを所定時間より長い長押しされた際に、前記表示装置を起動及び前記表示装置を終了し、
前記スイッチを所定時間より短い短押しされた際が、前記清掃開始時間である請求項１又は請求項２に記載の表示装置。
【請求項６】
前記記憶部は地図情報を記憶しており、
前記制御部は、前記残り時間もしくは清掃完了時刻を表示させるとともに、利用可能な部屋を地図情報とともに表示させる請求項１から請求項５のいずれか一項に記載の表示装置。
【請求項７】
前記制御部は、前記通信部を介して携帯端末に、前記残り時間もしくは清掃完了時刻を送信するとともに、前記通信部を介して前記携帯端末から変更された前記残り時間もしくは清掃完了時刻を受信し、
前記制御部は、変更された前記残り時間もしくは清掃完了時刻を前記表示画面に表示させる請求項２に記載の表示装置。
【請求項８】
前記本体部を載置するとともに、前記本体部を移動させる車輪を有する台座部を備え、
前記本体部は、前記本体部を移動させる取手を有する請求項１から請求項７のいずれか一項に記載の表示装置。
【発明の詳細な説明】
【技術分野】
【０００１】
本発明は、清掃作業中を知らせる移動可能な表示装置に関する。
【背景技術】
【０００２】
ショッピングモール、公共施設又は駅構内のトイレもしくは会議室を清掃する際には、清掃員は、トイレ又は会議室の出入口に例えば、“清掃中”と記載された立て看板を設置する。そして清掃員がトイレ又は会議室を清掃し終えたら、その立て看板を片付けて、次の清掃場所に移動する。
【０００３】
例えば、特許文献１は、トイレの出入口の壁に取り付けられた表示装置を開示している。引用文献１の表示装置は、清掃員が、トイレの清掃中に清掃用のスイッチを入れて、表示装置に“清掃中”を表示させている。
【先行技術文献】
【特許文献】
【０００４】
【特許文献１】特開２０１１−１２５５９３号公報
【発明の概要】
【発明が解決しようとする課題】
【０００５】
しかし、特許文献１に示される表示装置はトイレ等の出入口の壁に取り付けられるため、すべてのトイレ等の出入口に表示装置を取り付けなければならない問題があった。また、トイレ等が清掃中であると、トイレ等を使用したい人は、トイレ等の清掃完了時刻または最寄りのトイレ等の場所を知りたいという要望がある。
【０００６】
本発明は、“清掃中”を表示するだけでなく清掃完了時刻を表示させることが表示装置を提供することを目的とする。
【課題を解決するための手段】
【０００７】
実施形態の表示装置は、本体部の前面に配置された表示画面と、表示装置が設置されている場所を特定するための位置信号を受信する位置信号受信部と、本体部の内部に配置され、部屋ごとの清掃時間、及び部屋の位置情報を記憶する記憶部とを備える。また、表示装置は、位置信号に基づいて記憶部に記憶された位置情報に対応する部屋を特定し、記憶部に記憶された特定された部屋の清掃時間に基づいて清掃開始時間から起算した残り時間もしくは清掃完了時刻を表示画面に表示させる制御部を備える。
【０００８】
この位置信号受信部は、表示装置が設置されている場所を特定するＧＰＳ（Global Positioning System）信号を受信するＧＰＳ受信部、もしくは本体部の内部と外部との間で無線通信を行う通信部を使った測位部を含んでもよい。
【０００９】
また表示装置は、本体部の内部から外部の伸び制御部への給電に使用する電源コードを含む。そして清掃開始時間は、電源コードがコンセントに差し込まれて給電が開始された時間である。また表示装置は制御部への電力を蓄えるバッテリーを含んでもよい。記憶部は、部屋の清掃とは関係ない映像情報を含み、  制御部は、電源コードがコンセントから抜かれた際に、バッテリーからの給電によって映像情報を表示画面に表示させる。
【００１０】
また表示装置は、本体部の外側表面に表示装置を起動するスイッチを有する。そのスイッチを所定時間より長い長押しされた際に、表示装置を起動及び終了し、スイッチを所定時間より短い短押しされた際が、清掃開始時間である。さらに記憶部は地図情報を記憶しており、制御部は、残り時間もしくは清掃完了時刻を表示させるとともに、利用可能な部屋を地図情報とともに表示させる。
【００１１】
さらに制御部は、通信部を介して携帯端末に、残り時間もしくは清掃完了時刻を送信するとともに、通信部を介して携帯端末から変更された残り時間もしくは清掃完了時刻を受信し、制御部は、変更された残り時間もしくは清掃完了時刻を表示画面に表示させる。また本体部を載置するとともに本体部を移動させる車輪を有する台座部を備えてもよい。そして本体部には、本体部を移動させる取手が設けられる。
【発明の効果】
【００１２】
本発明の表示装置は、その現在位置に基づいて清掃中”を表示するだけでなく清掃完了時刻を表示させることができる。
【図面の簡単な説明】
【００１３】
【図１】ショッピングモールの平面図である。
【図２】（ａ）は、表示装置１００の斜視図である。  （ｂ）は、取手１１４の拡大図である。  （ｃ）は、スイッチ部１１７の拡大図である。
【図３】表示装置１００の構成を示すブロック図である。
【図４】表示装置の使用方法を示したフローチャートである。
【図５】（ａ）は、表示画面１１１に表示される広告内容の画像の例である。  （ｂ）は、表示画面１１１に表示される別の広告内容の画像の例である。
【図６】（ａ）は、トイレ清掃中に表示される画像の一例である。  （ｂ）は、トイレ清掃中に表示される画像の別例である。
【図７】携帯端末５０にアプリが起動した状態の表示画面５９の一例である。
【図８】災害情報１６０を表示画面１１１に表示する場合のフローチャートである。
【図９】（ａ）は、火災が発生した場合に、表示画面１１１に表示される避難画面である。  （ｂ）は、地震が発生した場合に、表示画面１１１に表示される避難画面である。
【発明を実施するための最良の形態】
【００１４】
以下、本発明の実施の形態を図面に基づいて詳細に説明する。本実施形態では、部屋の一例としてトイレの清掃中であることを表示する表示装置について説明する。しかし、本発明は、トイレの清掃に限られるのではなく、複数の会議室を清掃する場合などにも適用できる。特に本発明を限定する旨の記載がない限り、以下の実施形態に限られるものではない。
【００１５】
＜ショッピングモール２０＞
図１はショッピングセンターのレイアウトを示す断面図である。図１において、略中央にセンターコート２１が配置されており、４つの角領域に、４つの核となるメイン店舗（スポーツ量販店，玩具量販店，家具量販店，家電量販店）２２が配置され、センターコート２１とメイン店舗２２との間に複数の専門店２３が配置され、またセンターコート２１の周囲及びメイン入場口２５の反対側に複数の飲食店２４が配置されている。なお、図１では特に図示しないが、各メイン店舗２２、各専門店２３及び各飲食店２４には、その店舗名以外にブロック毎に“Ａ０１”、“Ｂ１２”などの番号を付して、各メイン店舗、専門店又は飲食店の場所が容易に理解できるようにすることが好ましい。
【００１６】
ショッピングモール２０は、４つの核店舗を連結するように通路が形成されており、センターコート２１を中心として略対称形状となっている。またメイン通路２７は、センターコート２１側（内側）に湾曲した曲線状を呈している。
【００１７】
またショッピングモール２０には、ＷｉＦｉ（登録商標）又はＢｌｕｅｔｏｏｔｈ（登録商標）などの無線発信部ＰＳが配置されている。図１では１０個の無線発信部ＰＳがバランスよく配置されることで、ショッピングモールを訪れる顧客がショッピングモール２０内のどこにいても、スマートフォンもしくはタブレット端末等の携帯端末を使って、インターネットにアクセスできる。なお、無線発信部ＰＳは、ＳＳＩＤ（ネットワーク名）又はＭＡＣアドレスなどを含むビーコン信号を発信している。
【００１８】
このショッピングモール２０には、例えば６つのトイレＷＣ（ＷＣ１〜ＷＣ６）が配置されており、それぞれが利用頻度などを考慮して配置されている。それぞれのトイレは、例えば図１に示された位置に配置されており、そのトイレＷＣの出入口の近傍には給電用のコンセント（不図示）が設けられている。本実施形態では、トイレＷＣ１〜ＷＣ６に男女別々のトイレが配置されているが、ＷＣ１が障がい者用トイレで、トイレＷＣ３及びＷＣ５が男性用トイレ、トイレＷＣ２，ＷＣ４及びＷＣ６が女性用トイレであってもよい。トイレの清掃員は、例えば、トイレＷＣ１、ＷＣ２……ＷＣ６の順番に清掃したり、任意の順番で清掃したりする。そして、トイレの清掃員は、トイレＷＣの清掃中に、トイレＷＣの出入口に表示装置１００を配置する。表示装置１００は、後述するように、トイレＷＣが清掃中であることを表示する。
【００１９】
＜表示装置１００の外観図＞
図２（ａ）は、表示装置１００の斜視図である。表示装置１００は、前面に液晶表示画面１１１が配置される本体部１１０と、本体部１１０を載置する台座部１２０と、により構成されている。以下の説明では、本体部１１０の前面が向く方向をＸ軸方向、本体部１１０の高さ方向をＺ軸方向、Ｘ軸方向及びＺ軸方向に垂直な方向をＹ軸方向として説明する。
【００２０】
本体部１１０は、外形が直方体に形成され、前面に液晶表示画面１１１が配置されている。本体部１１０の両側面（本体部１１０の±Ｙ軸側の面）には本体部１１０を補強するためのサイドビーム１１３が配置されており、各サイドビーム１１３の中間には、清掃員が本体部１１０を移動させる取手１１４が取り付けられている。また、本体部１１０の−Ｙ軸側面の下方にはスイッチ部１１７が配置されている。
【００２１】
台座部１２０は、＋Ｚ軸側に本体部１１０を載置するための天板１２１が配置され、−Ｚ軸側に表示装置１００を移動させるための車輪１２２が配置されている。本体部１１０は天板１２１にボルト等の締結具で固定されている。なお、本実施形態では、清掃員が手動で表示装置１００を引っ張って移動させる構造であるが、動力を付けて自動走行できるようにしても良いことは言うまでもない。
【００２２】
図２（ｂ）は、取手１１４の拡大図である。本体部１１０のサイドビーム１１３に固定される取手１１４は、ハンドル１１５を含んでいる。ハンドル１１５は、表示装置１００を移動させる場合には本体部１１０の側面に対して立てて用いられる。また、ハンドル１１５を使用しない場合には図２（ｂ）に示されるように本体部１１０の側面に沿うように寝かせられる。表示装置１００は取手１１４及び車輪１２２を備えるため容易に移動させることができ、表示装置１００の設置場所を容易に変更することができる。
【００２３】
図２（ｃ）は、蓋を開けた状態のスイッチ部１１７の拡大図である。スイッチ部１１７は、本体部１１０に形成された窪み１１７ａに配置されるスイッチ１１７ｂと、本体部１１０の窪み１１７ａを覆う蓋１１７ｃと、を有している。蓋１１７ｃは例えば図２（ｃ）に示されるように、矩形形状の板に指を引っ掛けるための窪みが形成された簡易な構造であり、作業用手袋をはめた状態でも容易に開け閉めすることができる構造となっている。また、スイッチ１１７ｂは、作業用手袋をはめた状態でも容易に押すことができる大きさ、形状に形成されている。窪み１１７ａ内及びスイッチ１１７ｂは、漏電等が起こらないように、防水加工がなされている。
【００２４】
表示装置１００では、清掃員はスイッチ１１７ｂを所定時間（例えば２秒）より長い長押しするだけで表示装置１００を起動することができる。そのため、清掃員は表示装置１００を取り扱うための特別な知識を習得する必要が無い。また、表示装置１００を取り扱うための特別な知識を持つ者が表示装置１００を設定する必要もない。これにより、清掃員の負担が減ることになり又は表示装置１００の運用費用の低減が図られている。表示装置１００を停止させる際にも清掃員はスイッチ１１７ｂを所定時間（例えば２秒）より長い長押しするのみである。表示装置１００を安全に停止させることができる。
【００２５】
＜表示装置１００のブロック図＞
図３は、表示装置１００の構成を示すブロック図である。本体部１１０に配置されるバッテリー電源１３５は、電源ケーブル１３４に接続されている。電源ケーブル１３４は、不図示の１００Ｖコンセントに接続される。ショッピングモール２０のトイレＷＣ（ＷＣ１〜ＷＣ６）の出入口には、１００Ｖコンセントが用意されており、電源ケーブル１３４を介して給電されて、バッテリー電源１３５に電力が蓄えられるとともに、制御部１３７を介して表示画面１１１等に電力が給電される。電源ケーブル１３４がコンセントから外れている場合でも、バッテリー電源１３５は表示画面１１１等に電力を給電し、３０分から２時間ほど、表示装置１００を使用することができる。
【００２６】
制御部１３７は、バッテリー電源１３５に接続されており、バッテリー電源１３５から給電されている。制御部１３７はスイッチ１１７ｂに接続されており、スイッチ１１７ｂが押されることにより制御部１３７が起動及び停止する、つまり、表示装置１００が起動及び停止する。また、制御部１３７は、記憶部１３１、ＧＰＳ（Global Positioning System）受信部１３２、液晶表示画面制御部１３６及び通信部１３８に接続されて、これらの動作を制御している。また測位部１３９は制御部１３７内の一部として、制御部１３７に接続されている。
【００２７】
記憶部１３１は、液晶表示画面１１１に表示する動画・静止画等の情報を記憶している。この動画・静止画は、例えば、ショッピングモール２０のメイン店舗２２、専門店２３及び飲食店２４の広告宣伝用の動画・静止画である。また動画・静止画は、メイン店舗ごと、専門店ごと、飲食店ごとに記憶されている。さらに各メイン店舗２２、専門店２３及び飲食店２４の動画・静止画は、ショッピングモール２０内の位置情報と紐づけされている。
【００２８】
記憶部１３１は、液晶表示画面１１１に表示するトイレＷＣに関する動画・静止画等の情報を記憶している。この動画・静止画等の情報は、例えば、ショッピングモール２０内のトイレＷＣ１〜ＷＣ６の位置情報、各トイレＷＣの清掃に必要な清掃時間、ショッピングモール２０の地図を含む。このショッピングモール２０の地図は、ショッピングモール内の店舗位置情報、モール２０の出入口や案内所の位置情報、トイレＷＣ１〜ＷＣ６の配置情報などを有している。ショッピングモール２０内のトイレＷＣ１〜ＷＣ６の配置情報は、各トイレＷＣからの他のトイレＷＣへの最短経路及び移動時間を含めてもよい。また記憶部１３１は、後述するＧＰＳ受信部１３２又は測位部１３９が測位した表示装置１００の現在位置も記憶する
【００２９】
さらに記憶部１３１は、無線発信部ＰＳのＳＳＩＤ又はＭＡＣアドレス等の無線発信部の情報を記憶し、さらにショッピングモール２０内の無線発信部ＰＳの位置情報を記憶している。
【００３０】
ＧＰＳ受信部１３２は、ＧＰＳ（Global Positioning System）信号を受信し、ＧＰＳ信号に基づいて表示装置１００の現在位置を特定する。ショッピングモール２０が鉄筋コンクリート等で建築されていると、ＧＰＳ受信部１３２は基本的にＧＰＳ信号を受信できないが、ガラス窓際であったりセンターコート２１の天井がガラス張りであったりすると、ＧＰＳ受信部１３２は基本的にＧＰＳ信号を受信できる。ＧＰＳ受信部１３２はＧＰＳ信号を制御部１３７に送り、定期的（例えば３秒毎）に制御部１３７が表示装置１００の現在位置を特定する。
【００３１】
液晶表示画面制御部１３６は、記憶部１３１に保存されている動画・静止画などを液晶表示画面１１１に表示させ、液晶表示画面１１１に表示される動画・静止画の色彩、明度輝度などを制御する。表示させる動画・静止画などの選択及び動画・静止画などの表示時間などの制御は、制御部１３７で行われる。
【００３２】
通信部１３８は、本体部１１０の内部と外部との間で主に無線通信により情報の送受信を行うための通信部として本体部１１０の内部に配置されている。通信部１３８は、例えば携帯電話回線（３Ｇ）、ＷｉＦｉ（登録商標）又はＢｌｕｅｔｏｏｔｈ（登録商標）で通信し、無線発信部ＰＳから発信されたＳＳＩＤ（ネットワーク名）、ＭＡＣアドレス、または電波の強さなどを含むビーコン信号を受信する。また通信部１３８は、インターネットを介してニュースサイトやショッピングモール２０のホームページ等を受信することができる。
【００３３】
測位部１３９は、通信部１３８が受信したビーコン信号及び記憶部１３１に記憶されている無線発信部ＰＳの情報に基づいて、受信したビーコン信号がどの無線発信部ＰＳからのものか判断し、定期的（例えば３秒毎）に表示装置１００の現在位置を測位する。例えば、測位部１３９は、１つの無線発信部ＰＳから強い電波を受信しているならば、その無線発信機ＰＳの位置に極めて近い位置に表示装置１００が設置されていると測位する。また測位部１３９は、２つの無線発信部ＰＳから均等な電波を受信しているならば、その２つの無線発信機ＰＳの位置の中間に表示装置１００が設置されていると測位する。
【００３４】
＜清掃作業における表示装置の使用方法＞
図４は、表示装置の使用方法を示したフローチャートである。そしてこのフローチャートは、清掃員が図１に示したトイレＷＣ１に表示装置１００を移動させ、清掃を開始し始めてから清掃を完了し、次に清掃するトイレＷＣ２まで表示装置１００を移動するまでを示したものである。なお、バッテリー電源１３５はすでにある程度充電されているとする。
【００３５】
まず、清掃員が倉庫等に保管してあった表示装置１００のスイッチ１０７ｂを長押する。すると、表示装置１００がバッテリー電源１３５からの給電を受けて起動する（ステップＳ１０１）。起動とともに、ＧＰＳ受信部１３２がＧＰＳ信号を受信して表示装置１００の現在位置を測位する。または、通信部１３８が無線発信部ＰＳから発信されたＳＳＩＤ、ＭＡＣアドレスなどのビーコン信号を受信し、測位部１３９が、受信したビーコン信号及び記憶部１３１に記憶されている無線発信部ＰＳの情報に基づいて、表示装置１００の現在位置を測位する（ステップＳ１０２）。ＧＰＳ受信部１３２がＧＰＳ信号を受信できない場合には、測位部１３９の測位で現在位置を計算してもよいし、ＧＰＳ信号を受信できる場合には、両方の現在位置の信号からより精度を高めた現在位置を算出してもよい。なお、ＧＰＳ受信部１３２又は測位部１３９は、表示装置１００が起動している最中、表示装置１００の現在位置を数秒ごとに測位している。
【００３６】
清掃員は、表示装置１００のスイッチ１０７ｂを押した後、表示装置１００をトイレＷＣ１の出入口に移動させる（ステップＳ１０３）。移動中、制御部１３７は記憶部１３１に記憶された各メイン店舗２２、専門店２３及び飲食店２４の動画・静止画の中から、現在位置に近い位置情報を有している動画・静止画を検索する。そして、制御部１３７は現在位置に近い専門店などの広告宣伝の動画・静止画を表示装置１００の表示画面１１１に表示させる（ステップＳ１０４）。
【００３７】
図５は、表示画面１１１に表示される画像の一例である。図５（ａ）は、清掃員が表示装置１００の移動中に“○○雑貨”という専門店２３に近づいた際に、表示画面１１１に表示されている例である。表示画面１１１の一番上には、専門店２３の店舗名称とショッピングモール２０内の番号が記載されている（図中１５１）。またその広告内容１５２は、店舗名称１５１の下に表示されている。清掃員が表示装置１００をさらに移動させていくと、例えば、図５（ａ）の動画・静止画から、図５（ｂ）に示される動画・静止画に切り替わる。図５（ｂ）表示画面１１１の一番上には、飲食店２４の店舗名称とショッピングモール２０内の番号が記載されている（図中１５１）。またその広告内容１５２は、店舗名称１５１の下に表示されている。
【００３８】
再び図４に戻ってフローチャートを説明する。清掃員が表示装置１００を移動させてトイレＷＣ１に到着する。そして、清掃員は表示装置１００をトイレＷＣ１の出入口に配置するとともに、表示装置１００の電源ケーブル１３４を出入口の周辺のコンセントに差し込む（ステップＳ１０５）。すると、表示装置１００の表示画面１１１には、広告等の動画・静止画から切り替わり、清掃中である画像が表示される（ステップＳ１０６）。そして清掃員はトイレＷＣ１の清掃を開始する。
【００３９】
図６（ａ）及び（ｂ）は、清掃員がトイレＷＣ１を清掃中に、表示画面１１１に表示される動画・静止画の例である。本実施形態では、表示画面１１１に表示される動画・静止画は、例えば２０秒ごとに（ａ）に示される静止画と（ｂ）に示される静止画とに切り替わる。図６（ａ）では、表示画面１１１の上段に大きく“清掃中”の表示１５４が表示され、中段に“このトイレは、１９分後  １２時２３分  に清掃が完了します”と表示１５５がされる。記憶部１３１には、各トイレＷＣ（ＷＣ１〜ＷＣ６）の平均の清掃時間が記憶されている。例えばトイレＷＣ１は２０分の清掃時間、トイレＷＣ２は３０分の清掃時間等である。電源ケーブル１３４がコンセントに差し込まれたことを、バッテリー１３５を介して制御部１３７が認識し、制御部１３７は、記憶部に記憶された２０分の清掃時間をカウントし始める。制御部１３７は、例えば残り時間である“１７分”を表示するとともにその清掃完了時刻１２時２３分を表示する。また通信部がインターネットを介して、現在時刻、気温、天気などを受信し、制御部１３７は、それらの情報の表示１５６を行う。
【００４０】
また、図６（ｂ）では、表示画面１１１の上段に大きく“清掃中”の表示１５４が表示され、その下に、“最寄りのトイレ”の表示１５７が表示されている。そして中段に、記憶部１３１に記憶されている、現在地から最寄りのトイレまでの地図１５８が表示される。図６（ｂ）に示された地図では、１つのトイレＷＣしか表示されていないが、すべてのトイレＷＣが表示される地図であってもよい。さらに、制御部１３７は、下段に“現在地から歩いて３分のところに上図のトイレがあります。”との表示１５９を行う。（ａ）と（ｂ）との静止画が交互に表示されるため、清掃中にトイレＷＣ１に来た顧客は、トイレＷＣ１の前で待っていたら良いか、別のトイレＷＣに行くか等を判断できる。
【００４１】
再び図４に戻ってフローチャートを説明する。清掃員がトイレＷＣ１の清掃を完了した後、表示装置１００の電源ケーブル１３４をコンセントから抜く（ステップＳ１０７）。すると、電源ケーブル１３４がコンセントから抜かれたことを、バッテリー１３５を介して制御部１３７が認識する。すると表示画面１１１が清掃中の画面から広告宣伝等の動画・静止画に切り替わる。つまり、図６（ａ）で示されたように、表示画面１１１に“このトイレは、５分後  １２時２３分  に清掃が完了します”と、清掃完了の予定時間前であっても、図５（ａ）又は図５（ｂ）に示されたような、専門店２３等の広告内容の動画・静止画に切り替わる。
【００４２】
清掃員は、次のトイレの清掃場所であるトイレＷＣ２の出入口に表示装置１００を移動させる（ステップＳ１０８）。移動中、制御部１３７は記憶部１３１に記憶された各メイン店舗２２、専門店２３及び飲食店２４の動画・静止画の中から、現在位置に近い位置情報を有している動画・静止画を検索する。そして、図５で示したように、制御部１３７は現在位置に近い専門店などの広告宣伝の動画・静止画を表示装置１００の表示画面１１１に表示させる（ステップＳ１０９）。清掃員が表示装置１００を移動させてトイレＷＣ２に到着して、表示装置１００の電源ケーブル１３４を出入口の周辺のコンセントに差し込む（ステップＳ１１０）。すると、図６で示したように、表示装置１００の表示画面１１１には清掃中であることが表示される（ステップＳ１１１）。清掃員がトイレＷＣ２の清掃を完了してすべての作業を終える場合には、表示装置１００のスイッチ１０７ｂを長押しする。すると表示装置１００の表示や制御がすべて終了する（ステップＳ１１２）。
【００４３】
なお、上記実施形態では、電源ケーブル１３４がコンセントに差し込まれたことを制御部１３７が認識することによって、表示画面１１１に “清掃中”の表示をしたり、清掃時間の残り時間をカウントしたりした。しかし、電源ケーブル１３４がコンセントに差し込みこまれたことではなく、清掃員がスイッチ１０７ｂを短時間、例えば０．３秒、を押すことで、表示画面１１１に “清掃中”の表示をしたり、清掃時間の残り時間をカウントしたりしてもよい。また図５及び図６では、表示画面１１１に表示される文字が日本語表記であったが、日本語以外の外国語も併記して表示するようにしても良い。
【００４４】
＜残り時間もしくは清掃完了時刻の変形例＞
上記実施形態では、制御部１３７が、電源ケーブル１３４がコンセントに差し込まれたこと又はスイッチ１１７ｂが短時間押されたことを起点として、記憶された各トイレＷＣ（ＷＣ１〜ＷＣ６）の清掃時間に基づいて、表示画面１１１に残りの清掃時間又は清掃完了時刻を表示させた。しかし、トイレの汚れ具合で、各トイレの清掃時間は長くなったり短くなったりする。このため、表示画面１１１に表示された清掃完了時刻が来ても、未だ清掃中だったりすると、トイレを待っている顧客に迷惑がかかる。したがって、顧客に正確な残りの清掃時間もしくは清掃完了時刻を知らせることが好ましい。
【００４５】
変形例では、表示画面１１１に表示される残りの清掃時間又は清掃完了時刻を変更する例を説明する。この変形例では、清掃員がスマートフォン又はタブレット端末等の携帯端末５０を所持しており、この携帯端末５０には、予め表示装置１００と連動するアプリがインストールされている。
【００４６】
制御部１３７は、電源ケーブル１３４がコンセントに差し込まれたこと又はスイッチ１１７ｂが短時間押されたことを認識した際に、通信部１３８（例えばBluetooth(登録商標)）を介してアプリの起動信号が送信され、清掃員が所持している携帯端末５０のアプリを起動させる。そして携帯端末５０には現在位置のトイレＷＣとそのトイレＷＣの清掃時間もしくは清掃完了時刻が表示される。現在位置のトイレＷＣ及びそのトイレＷＣの清掃時間は、アプリに予めダウンロードされていてもよいし、表示装置１００から通信部１００を介して受信してもよい。また携帯端末５０のアプリは、起動とともに清掃時間をカウントし始める。
【００４７】
清掃員が例えばトイレＷＣ３を清掃し始めると、その時点で通常よりも汚れている又は汚れていない等を判断し、トイレＷＣ３の清掃時間を長くしたり短くしたりする。図７は、携帯端末５０のアプリが起動した表示画面５９の一例である。
【００４８】
表示画面５９の上段には、どのトイレであるかを示すトイレ表示５１があり、図７では“トイレＷＣ３”と表示されている。その下には、清掃開始時刻５２及び清掃完了予定時刻５３が表示される。記憶されているトイレＷＣ３の清掃時間が３０分であるため、清掃開始時刻５２が１０時１３分、清掃完了予定時刻５３が１０時４３分と表示されている。またその下には、経過時間及び残り時間５４が併記されており、経過時間が３分２１秒と残り時間が２６分３９秒と表示されている。その下に時間変更の欄５６がある。清掃員はトイレＷＣ３が通常よりも汚れていないと判断し、通常より３分短くて清掃できると判断すれば、時間を短縮する下げボタン５５ｂを３回押す。すると、時間変更の欄５６には“−３”と表示される。逆に清掃員はトイレＷＣ３が通常よりも汚れていると判断した場合には、時間を延長する上げボタン５５ａを数回押す。そして、清掃員が送信ボタン５７をクリックすれば、その清掃時間の変更が通信部１３８で受信される。制御部１３７は、表示画面１１１に表示される残り時間及び清掃完了時刻（図６（ａ）の１５５）を変更する。また表示画面５９の清掃完了予定時刻５３、残り時間５４が変更される。
【００４９】
特に図示しないが、携帯端末５０は、残り時間が例えば５分又は３分を切った時点で、携帯端末５０からアラーム音を出したり、バイブレータで携帯端末５０を振動させたりして、清掃員に清掃時間の変更が必要であるか否かを促してもよい。
【００５０】
＜災害情報の表示方法＞
図８は、災害情報１６０を表示画面１１１に表示する場合のフローチャートである。表示装置１００は、通常表示画面１１１に、店舗など広告等の動画・静止画（図５を参照。）又は清掃中の動画・静止画（図６を参照。）が表示される。一方、災害等が発生又は発生する見込みがある場合などに、ショッピングモールを訪れる顧客に災害情報１６０を提供することで、二次災害を防ぐことができる。以下に、図８を参照して、表示装置１００が災害情報１６０を表示するまでの過程について説明する。ここで、災害情報１６０には、所定規模以上の地震、噴火等の自然災害の情報のみならず、火災、危険物質の流出等の自然災害以外の災害の情報も含むものとする。
【００５１】
ステップＳ１５１において、通信部１３８がショッピングモールの管理室等から災害情報１６０、又は国、地方自治体が発する災害情報１６０を受信する。例えば、「Ｌアラート」と呼ばれる国が配信する災害情報配信システムがある。又はショッピングモールの管理人等が火災などを発見して災害情報１６０とともに緊急信号を発信する。それら緊急信号及び災害情報１６０を通信部１３８が受信する。このような災害情報１６０は、例えば携帯電話回線（３Ｇ）、Ｗｉ−Ｆｉ（登録商標）等を介して受け取ることができる。
【００５２】
ステップＳ１５２では、ＧＰＳ受信部１３２がＧＰＳ信号を受信して表示装置１００の現在位置を測位できるか、又は通信部１３８が無線発信部ＰＳからのビーコン信号を受信して、測位部１３９が表示装置１００の現在位置を測位できるかを制御部１３７が判断する。例えば、表示装置１００がＧＰＳ信号の届かない位置に配置されていたり、ショッピングモールの停電で無線発信部ＰＳからのビーコン信号が発信されていなかったりする場合がある。現在位置が測位できる場合にはステップＳ１５４に進み、現在位置が測位できない場合にはステップＳ１５５に進む。
【００５３】
ステップＳ１５３では、例えば表示装置１００の現在位置がわかるため、制御部１３７は、現在位置、災害情報及び地図情報に基づいて、表示画面１１１に表示すべき避難画面を作成する。例えば、制御部１３７は、現在地から出入口までの複数の通路を仮想的に作製し、その距離を最小二乗法、巡回セールスマン法、遺伝的アルゴリズム法などで最短ルートを計算し、その最短ルートを求める。そしてそのルートを地図情報に重ねて表示させてもよい。
【００５４】
ステップＳ１５４では、表示装置１００の現在位置がわからないため、記憶部１３１に記憶されている現在位置を使用する。具体的には、記憶されている現在位置は、定期的に測位した数秒前の比較的新しい現在位置である。この現在位置、災害情報及び地図情報に基づいて、表示画面１１１に表示すべき避難画面を作成する。例えば、制御部１３７は、現在地から出入口までの複数の通路を仮想的に作製し、その距離を遺伝的アルゴリズム法などで最短ルートを計算し、その最短ルートを求める。そしてそのルートを地図情報に重ねて表示させてもよい。
【００５５】
ステップＳ１５５では、制御部１３７は、ステップＳ１５３又はＳ１５４で作成した避難画面を表示画面に表示させる。
【００５６】
図９（ａ）は、ショッピングモール２０内で火災が発生した場合に、表示画面１１１に表示される避難画面である。停電が発生していないため、測位部１３９が測位した現在位置に基づいて避難画面を作成している。記憶部１３１に保存されている地図情報及びどこで火災が発生したかの災害情報に基づいて、現在位置から火災発生場所を避けて出口までのルートを含んだ地図１６３を作成する。図９（ａ）に示された災害情報１６０は、画面の上部に発生した災害情報（例えば、火災）１６１を示し、その下に災害情報の発生場所などの詳細内容１６２を示し、その下に避難ルートを示した地図１６３が示されている。なお、地図１６３の避難ルートはセンターコートが開始位置となっている。これは表示装置１００を移動中の清掃員が、センターコートを移動中に火災が発生したことを意味している。バッテリー電源１３５を使って表示画面１１１に避難画面を表示している。
【００５７】
図９（ｂ）は、大規模地震が発生し停電が発生していている場合に、表示画面１１１に表示される避難画面である。停電が発生しているため、無線発信部ＰＳからビーコン信号を送信していない。このため制御部１３７は、記憶部１３１に記憶されている比較的新しい現在位置に基づいて避難画面を作成する。記憶部１３１に保存されている地図情報及びショッピングモールの出口情報に基づいて、現在位置から出口までのルートを含んだ地図１６７を作成する。図９（ｂ）に示された災害情報１６０は、画面の上部に発生した災害情報（例えば、地震）１６５を示し、その下に災害情報の詳細内容１６６を示し、その下に避難ルートを示した地図１６７が示されている。なお、地図１６７の避難ルートはトイレＷＣ３から出口までの避難ルートになっている。これは清掃員がトイレＷＣ３を清掃中に地震が発生したことを意味している。電源コード１３４をコンセントに差し込んで清掃していたが、ショッピングモール内が停電になったため、バッテリー電源１３５を使って表示画面１１１に避難画面を表示している。
【００５８】
以上、本発明の最適な実施形態について詳細に説明したが、当業者に明らかなように、その技術的範囲内において実施形態に様々な変更・変形を加えて実施することができる。
【００５９】
例えば、上記の実施形態では、表示画面が液晶表示画面１１１であるとして説明されたが、表示画面には液晶以外のＬＥＤ又は有機ＥＬパネル等の様々な表示画面を用いることができる。また表示装置１００は本体部１１０を載置する台座部１２０を備えていたが、台座部１２０は必ずしも必要ではなく、市販されている移動可能な台車に本体部１１０を載せてもよい。
【符号の説明】
【００６０】
２０  …  ショッピングモール、  ２１  …  センターコート、  ２３  …  専門店
２４  …  飲食店、    ２５  …  メイン入場口
５０  …  携帯端末、  ５９  …  表示画面
１００  …  表示装置、  １１０  …  本体部
１１１  …  液晶表示画面、    １１３  …  サイドビーム
１１４  …  取手、    １１５  …  ハンドル
１１７  …  スイッチ部、    １１７ａ  …  窪み、  
１１７ｂ  …  スイッチ、    １１７ｃ  …  蓋
１２０  …  台座部、    １２１  …  天板、    １２２  …  車輪
１３１  …  記憶部
１３２  …  ＧＰＳ受信部
１３４  …  電源ケーブル
１３５  …  バッテリー電源
１３６  …  表示画面制御部
１３７  …  制御部
１３８  …  通信部
１３９  …  測位部  
ＰＳ  …  無線発信部
ＷＣ（ＷＣ１〜ＷＣ６）  …  トイレ
【図１】
2018192073.tif 000003
【図２】
2018192073.tif 000004
【図３】
2018192073.tif 000005
【図４】
2018192073.tif 000006
【図５】
2018192073.tif 000007
【図６】
2018192073.tif 000008
【図７】
2018192073.tif 000009
【図８】
2018192073.tif 000010
【図９】
2018192073.tif 000011